(57)【要約】【課題】蓋体を開いた状態で保持する止め具が蓋体が閉じた時に外方に突出しない釣り用バケツを提供することである。【解決手段】バケツ本体１の上部開口１ａが矩形で、側面部１ｂと底部１ｃが、合成樹脂製シ−トを用いて一体、もしくは、複数のシ−トを溶着等で接合して形成されて防水性と柔軟性を有している。側面部１ｂの一側に成型タイプの蓋体３がヒンジ部３ａで開閉自在に取り付けられると共に、上部開口１ａ側の側面部１ｂの開口周縁と蓋体３の開口周縁にチャック４が取り付けられて開閉自在となっている。側面部１ｂの他側側の蓋体３には雌スナップ状の止め具５が固定されている。側面部１ｂの折り返し部１ｄとヒンジ部３ａの内側面間には雄スナップ状の止め具６が取り付けられた舌片７の一端が取り付けられている。【選択図】　　　　図４
2004089045.tif 000002
【特許請求の範囲】
【請求項１】
バケツ本体の開口を塞ぐ蓋体のヒンジ部の内側に前記蓋体を開いた状態で保持する止め具を設けたことを特徴とする釣り用バケツ。
【発明の詳細な説明】
【０００１】
【発明の属する技術分野】
本発明は、バケツ本体の開口を塞ぐ蓋体を設けた釣り用バケツの改良に関する。
【０００２】
【従来の技術】
従来から釣り用バケツのバケツ本体には開口を塞ぐ蓋体が開閉自在に設けられ、開いた蓋体を巻き込んだ状態で保持するゴム紐を設けているものもあるが、蓋体を閉じた状態でもゴム紐が外方へ突出し好ましくない。
【０００３】
【発明が解決しようとする課題】
解決しようとする課題は、蓋体を閉じた状態で開いた蓋体を保持するゴム紐が外方へ突出することである。
【０００４】
本発明の目的は前記欠点に鑑み、蓋体を開いた状態で保持する止め具が蓋体が閉じた時に外方に突出しない釣り用バケツを提供することである。
【０００５】
【課題を解決するための手段】
上記課題を解決するために、
請求項１に係わる本発明は、バケツ本体の開口を塞ぐ蓋体のヒンジ部の内側に前記蓋体を開いた状態で保持する止め具を設けたことを要旨とするものである。
【０００６】
【発明の実施の形態】
請求項１の本発明により、蓋体３が内側を中にして折り畳まれたり、蓋体３′が内側を中に巻き込まれると、蓋体３、３′の内側が汚れていても衣服等を汚すことが防止される。
開いた蓋体３、３′を保持する止め具６、９がヒンジ部３ａの内側に設けているため、蓋体３、３′を閉じた状態で止め具６や止め具９の止め部９ｃが露出されず邪魔にならない。
舌片７、７′は蓋体３、３′が閉じられた時はバケツ本体１内にあるので釣糸が絡む等釣りの邪魔になったり、携帯で邪魔になることがない。
【０００７】
【実施例】
以下、図示の実施例によって本発明を説明すると、図１から図４は第１実施例で、図１は釣り用バケツの斜視図、図２は釣り用バケツのバケツ本体の断面側面図と一部拡大断面側面図、図３は蓋体が折り畳まれたバケツ本体の断面側面図と一部拡大断面側面図、図４は蓋体が折り畳まれた釣り用バケツの斜視図である。
【０００８】
釣り用バケツは、バケツ本体１の上部開口１ａが矩形で、側面部１ｂと底部１ｃが、例えばエチレン酢酸ビニ−ルや塩化ビニ−ル等の合成樹脂製シ−トを用いて一体、もしくは、複数のシ−トを溶着等で接合して形成されて防水性と柔軟性を有している。
側面部１ｂの開口縁に金属線２がシ−ト材で包み込まれ、側面部１ｂは開口１ａにおいて内側から外側へ折り返されて折り返し部１ｄが側面部１ｂに縫着や溶着等で固定されている。
【０００９】
側面部１ｂの一側に成型タイプの蓋体３がヒンジ部３ａで開閉自在に取り付けられると共に、上部開口１ａ側の側面部１ｂの開口周縁と蓋体３の開口周縁にチャック４が取り付けられて開閉自在となっている。
側面部１ｂの他側側（ヒンジ部３ａの対向側）の蓋体３の上面には雌スナップ状の止め具５が固定されている。
側面部１ｂの折り返し部１ｄとヒンジ部３ａの内側面間には雄スナップ状の止め具６が取り付けられた舌片７の一端が取り付けられている。
止め具６を有する舌片７がヒンジ部３ａの内側に取り付けられていると、蓋体３を閉じていると釣り用バケツ内に収納されているが、蓋体３を開いてヒンジ部３ａの内側が上方を向くようになるとともに露出される。
側面部１ｂの対向する前面と後面に夫々板体８が固定されて板体８のハンドル止着部８ａ、８ａにハンドル１０、１０が回動して起立及び倒伏可能に取り付けられている。
【００１０】
蓋体３が開かれてバケツが使用される時は、蓋体３がバケツ本体１の外側に開かれて蓋体３の下面が外方を向いて垂れ下がった状態となり、蓋体３の長手方向の中程が折り曲げられて蓋体３の他側が一側側に蓋体３の下面が向かい合うようにして折り畳まれて舌片７がかぶせられ、止め具６が止め具５に係合される。
蓋体３が内側を中にして折り畳まれると、蓋体３の内側が汚れていても衣服等を汚すことがない。
【００１１】
前記のように釣り用バケツが構成されると、蓋体３が内側を中にして折り畳まれると、蓋体３の内側が汚れておっても衣服等を汚すことが防止される。
舌片７は蓋体３が閉じられた時はバケツ本体１内にあるので釣糸が絡む等釣りの邪魔になったり、携帯で邪魔になることがない。
【００１２】
図５から図８は第２実施例で、図５は釣り用バケツの斜視図、図６は釣り用バケツのバケツ本体の断面側面図と一部拡大断面側面図、図７は蓋体が巻き込まれたバケツ本体の断面側面図と一部拡大断
面側面図、図８は蓋体が巻き込まれた釣り用バケツの斜視図である。
【００１３】
第２実施例では、バケツ本体１の側面部１ｂの一側にシ−トタイプの蓋体３′がヒンジ部３ａで開閉自在に取り付けられると共に、上部開口１ａ側の側面部１ｂの開口周縁と蓋体３′の周縁にチャック４が取り付けられて開閉自在となっている。
側面部１ｂの一側側（ヒンジ部３ａ側）の蓋体３′の上面には雌スナップ状の止め具５′が固定されている。
側面部１ｂの折り返し部１ｄとヒンジ部３ａの内側面間には雄スナップ状の止め具６が取り付けられた舌片７′の一端が取り付けられている。
舌片７′は前記第１実施例の舌片７より長めに形成されている。
止め具６を有する舌片７がヒンジ部３ａの内側に取り付けられていると、蓋体３′を閉じていると釣り用バケツ内に収納されているが、蓋体３′を開いてヒンジ部３ａの内側が上方を向くようになるとともに露出される。
他の構成は前記第１実施例と略同一である。
【００１４】
蓋体３′が開かれてバケツが使用される時は、蓋体３′が他側の自由端側から内側を中に巻き込まれて、ヒンジ部３ａの内側が延びた舌片７′が蓋体３′の外側に巻き込まれ、蓋体３′の止め具５′に舌片７′に取り付けられた止め具６が係止され、開いた蓋体３′が保持される。
蓋体３′が開かれて内側を中に巻き込まれ、その外側を舌片７′が巻き込まれて蓋体３′の止め具５′に舌片７′に取り付けられた止め具６が係止されると、蓋体３′の内側が汚れていても衣服等を汚すことがない。
【００１５】
図９から図１２は第３実施例で、図９は釣り用バケツの斜視図、図１０は釣り用バケツのバケツ本体の断面側面図と一部拡大断面側面図、図１１は蓋体が巻き込まれたバケツ本体の断面側面図と一部
拡大断面側面図、図１２は蓋体が巻き込まれた釣り用バケツの斜視図である。
【００１６】
第３実施例では、バケツ本体１の側面部１ｂの一側にシ−トタイプの蓋体３′がヒンジ部３ａで開閉自在に取り付けられると共に、上部開口１ａ側の側面部１ｂの開口周縁と蓋体３′の周縁にチャック４が取り付けられて開閉自在となっている。
側面部１ｂと折り返し部１ｄとヒンジ部３ａにはこれらを貫通する透孔１ｅが複数穿設されてこの透孔１ｅにゴムなどの弾性を有する止め具９の軸部９ａが嵌合されて頭部９ｂで抜け止めされている。
止め具９には弾性ル−プ状の止め部９ｃが形成されヒンジ部３ａの内側へ突出している。
他の構成は前記第１実施例と略同一である。
【００１７】
蓋体３′が開かれてバケツが使用される時は、蓋体３′が他側の自由端側から内側を中に巻き込まれてヒンジ部３ａ位置の外側で巻き込まれた蓋体３′が止め具９の弾性ル−プ状の止め部９ｃの中に通されて係止される。
蓋体３′が開かれて内側を中に巻き込まれ、その外側を止め具９の弾性ル−プ状の止め部９ｃの中に通されて係止されると、蓋体３′の内側が汚れていても衣服等を汚すことがない。
【００１８】
前記第１・２実施例の説明では、止め具５、６にスナップ状の止め具で述べたが、互いに係合すれば何でも良く、スナップに限らず例えば、それぞれ雄、雌のベルベット式ファスナでも良い。
【００１９】
【発明の効果】
本発明は、以上説明したような形態で実施され、以下に記載されるような効果を奏する。
【００２０】
請求項１により、開いた蓋体を保持する止め具がヒンジ部の内側に設けているため、蓋体を閉じた状態で止め具が露出されず邪魔にならない。
【図面の簡単な説明】
【図１】第１実施例で、釣り用バケツの斜視図である。
【図２】同釣り用バケツのバケツ本体の断面側面図と一部拡大断面側面図である。
【図３】同蓋体が折り畳まれたバケツ本体の断面側面図と一部拡大断面側面図である。
【図４】同蓋体が折り畳まれた釣り用バケツの斜視図である。
【図５】第２実施例で、釣り用バケツの斜視図である。
【図６】同釣り用バケツのバケツ本体の断面側面図と一部拡大断面側面図である。
【図７】同蓋体が巻き込まれたバケツ本体の断面側面図と一部拡大断面側面図である。
【図８】同蓋体が巻き込まれた釣り用バケツの斜視図である。
【図９】第３実施例で、釣り用バケツの斜視図である。
【図１０】同釣り用バケツのバケツ本体の断面側面図と一部拡大断面側面図である。
【図１１】同蓋体が巻き込まれたバケツ本体の断面側面図と一部拡大断面側面図である。
【図１２】同蓋体が巻き込まれた釣り用バケツの斜視図である。
【符号の説明】
１　バケツ本体
１ａ　開口
３、３′　蓋体
３ａ　ヒンジ部
５、５′、６、９　止め具
【図１】
2004089045.tif 000003
【図２】
2004089045.tif 000004
【図３】
2004089045.tif 000005
【図４】
2004089045.tif 000006
【図５】
2004089045.tif 000007
【図６】
2004089045.tif 000008
【図７】
2004089045.tif 000009
【図８】
2004089045.tif 000010
【図９】
2004089045.tif 000011
【図１０】
2004089045.tif 000012
【図１１】
2004089045.tif 000013
【図１２】
2004089045.tif 000014